(57)【要約】【課題】広告を表示した椅子用カバーにおいて、背面側以外の位置から広告を視認できるようにし、広告効果を高めることを課題とする。【解決手段】シート体を椅子の背もたれに被さる形状となる袋体に形成してなる椅子用カバー（Ｘ）において、背面側のシート体部分（２０）に、縦方向の折り目（２１、２１）を二箇所設けることで三分割し、前記三分割した背面側のシート体部分（２０）の両端側（２０Ａ、２０Ａ）に位置する領域に広告（４０、４０）を表示する。【選択図】  図１
0003164603.tif 000002
【実用新案登録請求の範囲】
【請求項１】
シート体を椅子の背もたれに被さる形状となる袋体に形成してなる椅子用カバーであって、
背面側のシート体部分は、縦方向の折り目が二箇所設けられることで三分割され、
前記三分割された背面側のシート体部分の両端側に位置する領域に広告が表示された
椅子用カバー。
【請求項２】
前記三分割された背面側のシート体部分の両端側に位置する領域の上端側は、前記三分割された背面側のシート体部分の中央に位置する領域よりも短く形成されることで穴が設けられるものである請求項１に記載の椅子用カバー。
【請求項３】
前記三分割された背面側のシート体部分の中央に位置する領域には少なくとも一部が透明であるポケットが形成されるものである請求項1又は２に記載の椅子用カバー。
【請求項４】
前記シート体は、少なくとも正面側はメッシュ素材により形成されるものである請求項１から３のいずれか１項に記載の椅子用カバー。
【考案の詳細な説明】
【技術分野】
【０００１】
本考案は椅子の背もたれに被せられる椅子用カバーであって、特に、広告が表示されるものに関する。
【背景技術】
【０００２】
従来、パチンコ店などの施設に設けられる椅子Ｃの背もたれには、図３に示すような広告Ａが表示されたカバーＭを被せることが行われている。このように、椅子用カバーＭの背もたれ背面側に広告を表示すると、多数配列されている椅子の背もたれを広告スペースとして有効活用することができる。
【考案の概要】
【考案が解決しようとする課題】
【０００３】
ところで、従来の広告Ａが表示される椅子用カバーＭは、図３に示すように背面の全面に広告Ａが表示されるものであったため、広告Ａは後ろ側からでないと明瞭に見ることができない。しかし、パチンコ店などで椅子Ｃの後ろを通る人は、パチンコ台などの機器を見ていることが多く椅子Ｃの背面に視線が行きにくいため、広告効果が十分に発揮されない。
本考案は、このような問題に鑑み、広告を表示した椅子用カバーにおいて、背面側以外の位置から広告を視認できるようにし、広告効果を高めることを課題とする。
【課題を解決するための手段】
【０００４】
上記課題を解決するために、本考案は次のような構成を有する。
請求項１に記載の考案は、シート体を椅子の背もたれに被さる形状となる袋体に形成してなる椅子用カバーであって、背面側のシート体部分は、縦方向の折り目が二箇所設けられることで三分割され、前記三分割された背面側のシート体部分の両端側に位置する領域に広告が表示された椅子用カバーである。
請求項２に記載の考案は、前記椅子用カバーにおいて、前記三分割された背面側のシート体部分の両端側に位置する領域の上端側は、前記三分割された背面側のシート体部分の中央に位置する領域よりも短く形成されることで穴が設けられるものである。
請求項３に記載の考案は、前記椅子用カバーにおいて、前記三分割された背面側のシート体部分の中央に位置する領域には少なくとも一部が透明であるポケットが形成されるものである。
請求項４に記載の考案は、前記椅子用カバーにおいて、前記シート体は少なくとも正面側がメッシュ素材により形成されるものである。
【考案の効果】
【０００５】
以上のような構成により、本考案は次のような効果を奏する。
請求項１に記載の考案は椅子の背もたれに被せると背面側のシート部は背もたれの厚みで膨らむことになるが、背面側のシート部分は２箇所で縦の折り目が形成されているので、背面側のシート部分の両側部分は斜めに傾斜することになる。そして、この部分に広告を表示すると、背面側から側面側にわたるいずれの範囲からでも広告を視認することが可能となる。これにより、パチンコ店などの機器が配列される通路に直交する通路からも広告を視認することができ、この通路を通る人は通路全体を見ることが多いので広告効果を高めることができる。
請求項２に記載の考案は、背面側のシート部分の両側領域の上部に穴を形成することで、背もたれに装着して両側領域が斜めに傾斜したときに、しわになり易い部分が存在しないので、きれいに背もたれに装着することができる。
請求項３に記載の考案は、背面中央に透明なポケットを設け、ここにチラシ広告などを入れておくことで、背面側シート部分の中央の領域を有効に活用することができる。
請求項４に記載の考案は、シート体の少なくとも正面側をメッシュ素材とすることで通気性がよくなり、椅子に座る人の背中を蒸れにくくすることができる。
【図面の簡単な説明】
【０００６】
【図１】（ａ）は実施形態に係る椅子用カバーの正面図であり、（ｂ）は実施形態に係る椅子用カバーの側面図であり、（ｃ）は実施形態に係る椅子用カバーの底面図である。
【図２】椅子に装着した実施形態に係る椅子用カバーを示す斜視図である。
【図３】椅子に装着した従来の椅子用カバーを示す斜視図である。
【考案を実施するための形態】
【０００７】
以下、本考案の実施の形態について、図面を参照しながら説明する。
図１（ａ）に本実施形態に係る椅子用カバーＸの正面図を示し、図１（ｂ）に椅子用カバーＸの側面図を示し、図１（ｃ）に椅子用カバーＸの底面図を示す。椅子用カバーＸはシート体を所定の椅子の背もたれに被せることができるような大きさの袋状に形成したものである。
椅子用カバーＸは正面側シート部１０、背面側シート部２０を有する。正面側シート部１０はメッシュ素材により形成される。背面側シート部２０は、縦方向の境界で３分割され、両側の領域２０A、２０Aと中央の領域２０Bとに分断される。両側の領域２０A、２０Aは広告４０が印刷された布により形成される。中央の領域２０Bはメッシュ素材により形成される。中央の領域２０Bには、縁取りが設けられた透明なシートが側方及び下方を縫い付けられて固定されることでポケット５０が形成されている。領域２０Aと領域２０Bとのつなぎ目は、端部が背面側を向くように合わせて接合され布テープ２１ａ、２１ａにより背面側からバイピング処理がなされる。これにより、領域２０Aと領域２０Bとのつなぎ目には背面側が山になる折り目２１が形成されることとなり、この位置で曲がりやすくなる。また、領域２０A、２０Aの上端側は領域２０Bよりも短く形成されており、これにより両者を接合すると、領域２０A、２０Aの上端側には穴２０Aa、２０Aaが形成されることとなる。そして、正面側シート部１０と背面側シート部２０とは両側縁および上縁が接合されて袋状に形成され、合わせ目に布テープ３０でパイピング処理がなされる。
【０００８】
以上のような構造を有する椅子用カバーＸを椅子の背もたれに装着すると、図２に示す斜視図のようになる。即ち、椅子Ｃの背もたれの厚さにより椅子用カバーＸは膨らむことになるが、折り目２１、２１があることで、この部分が折れ曲がるように椅子用カバーＸは膨らみ、図２に示すように背面側シート部２０の両側の領域２０Ａ、２０Ａは、背もたれの面する方向に対してそれぞれが斜め側方を向くこととなる。この際、領域２０A、２０Aの上端に穴２０Aa、２０Aaが形成されているのでしわになりにくい。領域２０A、２０Aが斜め側方を向くことにより領域２０Ａ、２０Ａに表示される広告４０も斜め側方を向くことになるので、広告２０Ａ、２０Ａは横側から背面側に至る方向のどこからでも視認することができる。従って、従来の背面中央に示された広告に比較して広い視認角度を有することになる。特に、パチンコ店においては、パチンコ台が並ぶ方向に沿った通路の両側に設けられる、これらの通路に直交する通路から広告４０は視認しやすくなり、この直交する通路では視線が上側に集中するということがないので、広告効果が高い。
なお、背面側シート部３０の中央位置にはポケット５０が設けられているが、ここには宣伝用のチラシを入れておくことができ、椅子用カバーＸは、広告表示とは別の広告媒体としての機能を果たすことができる。また、シート体をメッシュ素材で作っているので、椅子に座る人の蒸れを抑制することもできる。
【符号の説明】
【０００９】
Ｘ  椅子用カバー
１０  正面側カバー部
２０  背面側カバー部
２１  折り目
２０Ａ  両側の領域
２０Aa  穴
２０Ｂ  中央の領域
４０  広告
５０  ポケット
【図１】
0003164603.tif 000003
【図２】
0003164603.tif 000004
【図３】
0003164603.tif 000005